(57)【要約】【課題】加湿器、除湿機、空気清浄機、冷暖房装置などの空気調和装置を用いて、室内を抗菌・抗ウイルス環境に維持する。【解決手段】送風ファンにより室内空気を吸込み、所定の空気調質手段により所定の状態に調質処理した上で室外に吹き出す空気送風系を備えてなる空気調和装置において、濃度コントロールの可能な二酸化塩素系の抗菌・抗ウイルス剤を付加する抗菌・抗ウイルス剤付加手段を設け、該抗菌・抗ウイルス剤付加手段を介して室内へ吹き出す空気に対して所定の濃度の抗菌・抗ウイルス剤を混合するようにし、同抗菌・抗ウイルス剤を混合した空気によって室内を抗菌・抗ウイルス環境に形成するようにした。【選択図】図１
2010002155.tif 000002
【特許請求の範囲】
【請求項１】
送風ファンにより室内空気を吸込み、所定の空気調質手段により所定の状態に調質処理した上で室外に吹き出す空気送風系を備えてなる空気調和装置において、濃度コントロールの可能な二酸化塩素系の抗菌・抗ウイルス剤を付加する抗菌・抗ウイルス剤付加手段を設け、該抗菌・抗ウイルス剤付加手段を介して室内へ吹き出す空気に対して所定の濃度の抗菌・抗ウイルス剤を混合するようにし、同抗菌・抗ウイルス剤を混合した空気によって室内を抗菌・抗ウイルス環境に形成するようにしたことを特徴とする空気調和装置。
【請求項２】
抗菌・抗ウイルス剤付加手段は、空気吸込部から空気吹出部に至る送風系路上において、少なくとも電気回路基板設置部よりも空気流下流側に位置して設けられていることを特徴とする請求項１記載の空気調和装置。
【請求項３】
空気調質手段が加湿手段であって、その加湿部が、吸水型のフィルタと該吸水型のフィルタを加熱して水を蒸発させる加熱手段とからなり、抗菌・抗ウイルス剤付加手段は、抗菌・抗ウイルス剤を含浸させた吸水フィルタにより構成されていることを特徴とする請求項１又は２記載の空気調和装置。
【請求項４】
抗菌・抗ウイルス剤の放出量は、加熱手段の発熱量を電気的に制御することにより調節されるようになっていることを特徴とする請求項３記載の空気調和装置。
【発明の詳細な説明】
【技術分野】
【０００１】
本願発明は、室内に供給される空気中に気化させた所定の濃度の抗菌・抗ウイルス剤を付加することにより、快適かつ清浄な空気環境を形成し得るようにした空気調和装置に関するものである。
【背景技術】
【０００２】
最近では、加湿機、除湿機、空気清浄機、芳香付加装置、ヒートポンプ式の冷暖房装置など、室内空気を快適な状態に調質（調和）する各種の空気調和装置が提供されるようになっており、快適環境形成商品として多くのユーザーに愛されている。
【０００３】
それらの中には、例えばプラズマイオン発生装置を備え、除菌機能を発揮させるようにしたものもある（特許文献１）。このような装置によると、ある程度は室内空気中の細菌の増殖を抑制することができる。
【０００４】
【特許文献１】特開２００６−８４０５５号公報
【発明の開示】
【発明が解決しようとする課題】
【０００５】
近年、鳥インフルエンザ（人から人に感染する）に代表されるような新しいタイプのインフルエンザウイルスに対する恐怖が増大しており、何らかの対策が必要とされている。
【０００６】
そのようなウイルス対策の一つとして、上述のような室内生活環境における細菌抑制対策は有効であり、ウイルス感染の拡大を低コストに防止することができる。
【０００７】
しかし、上記従来の空気調和装置のプラズマイオン発生手段におけるマイナスイオンは、一般細菌に対して若干の除菌作用を有するだけなのが現状であり、鳥インフルエンザウイルスなどの新型ウイルスには有効な抑制作用を有していない。
【０００８】
本願発明は、このような問題を解決するためになされたもので、マイナスイオンなどに比べて遥かに制菌作用が高く、鳥インフルエンザなどの新型ウイルスにも有効な二酸化塩素系の抗菌・抗ウイルス剤を濃度コントロール可能な形にして使用し、室内へ吹き出される調質空気中に混合することにより、新型ウイルスに対する抑制効果をも実現した空気調和装置を提供することを目的とするものである。
【課題を解決するための手段】
【０００９】
本願発明は、上記の目的を達成するために、次のような有効な課題解決手段を備えて構成されている。
【００１０】
（１）  請求項１の発明
この発明は、送風ファンにより室内空気を吸込み、所定の空気調質手段により所定の状態に調質処理した上で室外に吹き出す空気送風系を備えてなる空気調和装置において、濃度コントロールの可能な二酸化塩素系の抗菌・抗ウイルス剤を付加する抗菌・抗ウイルス剤付加手段を設け、該抗菌・抗ウイルス剤付加手段を介して室内へ吹き出す空気に対して所定の濃度の抗菌・抗ウイルス剤を混合するようにし、同抗菌・抗ウイルス剤を混合した空気によって室内を抗菌・抗ウイルス環境に形成するようにしたことを特徴としている。
【００１１】
このような構成によると、当該空気調和装置の送風系路に設けられた二酸化塩素系の抗菌・抗ウイルス剤付加手段によって、室内に吹き出される調質空気が鳥インフルエンザなどの新型ウイルスに対する制菌作用を有するものとなり、これによって室内空気環境の快適化、抗ウイルス性の高い清浄化を図ることができる。
【００１２】
しかも、抗菌・抗ウイルス剤付加手段による抗菌・抗ウイルス剤は、所定の濃度に濃度コントロールされ、人体にとって安全な濃度範囲、臭いの低い濃度レベルで使用されるようになっているから、極めて安全であり、また快適性を阻害しない。
【００１３】
（２）  請求項２の発明
この発明は、上記請求項１の発明の構成において、抗菌・抗ウイルス剤付加手段は、空気吸込部から空気吹出部に至る送風系路上において、少なくとも電気回路基板設置部よりも空気流下流側に位置して設けられていることを特徴としている。
【００１４】
このような構成によると、電気回路基板等電装品部分を酸化作用の強い二酸化塩素系の薬剤が通過することを避けることができ、電装品の錆びの発生、劣化を回避することができる。
【００１５】
（３）  請求項３の発明
この発明は、上記請求項１又は２の発明の構成において、空気調質手段が加湿手段であって、その加湿部が、吸水型のフィルタと該吸水型のフィルタを加熱して水を蒸発させる加熱手段とからなり、抗菌・抗ウイルス剤付加手段は、抗菌・抗ウイルス剤を含浸させた吸水フィルタにより構成されていることを特徴としている。
【００１６】
このような構成によると、水を吸上げて送風系路を流れる空気中に水分を付加する吸水フィルタのフィルタ素材中の抗菌・抗ウイルス剤が、同水分の付加と同時に一緒に付加され、加熱蒸発されて抗菌・抗ウイルス性のある加湿空気となって室内に吹き出され、室内を抗菌・抗ウイルス性の環境に形成する。
【００１７】
（４）  請求項４の発明
この発明は、上記請求項３の発明の構成において、抗菌・抗ウイルス剤の放出量は、加熱手段の発熱量を電気的に制御することにより調節されるようになっていることを特徴としている。
【００１８】
このような構成によると、所定の空気吹出量の下において、吸水フィルタ中の水分を加熱蒸発させる加熱手段の発熱量（加熱量）を変えることにより、空気量との関係において所望の抗菌・抗ウイルス剤濃度の加湿空気を吹き出させることができ、有効なウイルス抑制効果を得られる範囲で、しかも人体に対して安全な濃度に確実に調節することができる。
【発明の効果】
【００１９】
以上の結果、本願発明によると、従来のようなマイナスイオンによる場合と異なり、確実に室内空気の制菌効果を実現することができるようになり、鳥インフルエンザなどの新型ウイルス対策として有効なものとなる。
【発明を実施するための最良の形態】
【００２０】
以下、添付の図面を参照して、いくつかの本願発明の最良の実施の形態について説明する。
【００２１】
（最良の実施の形態１）
先ず図１〜図４は、吸水フィルタ型の加湿器として構成した本願発明の最良の実施の形態１に係る空気調和装置の構成を示している。
【００２２】
この実施の形態の加湿器は、例えば図１ないし図３に示すように、室内空気を循環させる送風ファン３と、室内空気を加湿する加湿手段４と、該加湿手段４に対して水Ｗを供給する水供給手段５とを具備した加湿器本体１と、把手３９を有して上記加湿器本体１に対して着脱自在とされ、かつ装着状態において前記水供給手段５に対して水Ｗを補給できるように構成された水タンク２とを備えて構成されており、前記加湿器本体１は、一側に前記送風ファン３の駆動源であるファンモータ６を合成樹脂製の気密シール壁を介して内蔵した立設部１ａを有する略Ｌ字形状とされている。
【００２３】
前記送風ファン３は、前記加湿器本体１において前記立設部１ａに隣接して設けられており、前記ファンモータ６により回転駆動される合成樹脂製のファンロータ７と該ファンロータ７を囲繞するスクロールタイプの合成樹脂製ファンケーシング８とからなっている。該ファンケーシング８は、その空気吸込口８ａを前記立設部１ａの反対側（吸水フィルタ１１側）に開口させる一方、その空気吹出口８ｂを上向きに開口させて配設されており、該空気吹出口８ｂの開口は、前記立設部１ａに沿って上方に延設されたカバー部１ｃの上面から斜め前面にかけて形成された合成樹脂製の加湿空気吹出グリル９に臨まされている。
【００２４】
前記加湿手段４は、前記加湿器本体１の底部側中央の平面部１ｂ上において、前記ファンケーシング８に隣接して形成された貯水槽１０と、該貯水槽１０の水Ｗ中に下端が浸漬され、且つ前記ファンケーシング８の空気吸込口８ａに対向するように着脱自在に立設された吸水フィルタ１１とからなっている。この吸水フィルタ１１は、例えば図４に示すように、吸湿性に優れた材質（例えば布）からなるフィルタ生地１１ａをプリーツ（ひだ）状に多数回折って形成されている。
【００２５】
なお、この吸水フィルタ１１と前記ファンケーシング８の空気吸込口８ａとの間には、所定の隙間Ｓを介在させている。このようにすると、吸水フィルタ１１の全面を加湿領域として利用することができる（図１および図３参照）。
【００２６】
同吸水フィルタ１１の上方には、さらに必要なスイッチ類を備えた操作パネル１２Ａが設けられている。該操作パネル１２Ａには、それぞれ電気回路基板１５側のマイコンに接続された、電源をＯＮ，ＯＦＦするメインスイッチ、送風ファン３の風量を複数段階に切り換える風量切換スイッチ、ヒータユニット１６の発熱量を可変する加熱量可変スイッチ等（図示省略）が設けられている。符号１５が電気回路基板であり、同操作パネル１２Ａの下方に設けられた合成樹脂製の制御ボックス１２Ｂ内に気密シール状態で収納されており、電源回路、ヒータユニット１６内の加熱量制御回路部、ファンモータ６の駆動回路、マイコン等を備えている。
【００２７】
また、前記吸水フィルタ１１の背面側には、前記送風ファン３により空気吸込口８ａから吸い込まれた室内空気を所定の温度に予熱するための通風可能な上述のヒータユニット１６が配設されている。該ヒータユニット１６の背面側には室内からの空気吸込口（図示省略）が形成されている。
【００２８】
さらに、前記水供給手段５は、前記加湿器本体１底部中央の平面部１ｂにおいて、前記貯水槽１０に接続するように隣接形成された水通路１７と、前記水タンク２の給水口２１が装着される第１貯水部１８と、前記水タンク２のフロート２６が装着される第２貯水部１９とにより構成されている。
【００２９】
そして、水タンク２が装着された状態においては、前記吸水フィルタ１１の前後は前板１ｄおよび背板１ｅにより閉塞されており（図２参照）、上記図示しない空気吸込口から吸い込まれて、上記ヒータユニット１６により予熱された室内空気Ａが、上記吸水フィルタ１１と水タンク２との間の空間を経て上記吸水フィルタ１１を通過し、該吸水フィルタ１１を通過する際に該吸水フィルタ１１から加熱蒸発する水蒸気で加湿され、上記ファンケーシング８の空気吸込口８ａに吸い込まれる空気通路２０が形成されるようになっている。
【００３０】
前記水タンク２の底面２ａ中央部には、給水口２１が形成されており、該給水口２１には、給水キャップ２２が螺着脱自在に取り付けられている。該給水キャップ２２には、水タンク２の装着時において前記第１貯水部１８の中心部に立設されたピン状の開弁作動部材２３により開弁操作される弁機構２４が設けられている。なお符号２５は弁機構２４を閉弁方向に付勢するコイルスプリングである。
【００３１】
そして、同弁機構２４は、上記水タンク２が、上記第１貯水部１８から上方に取り外された時には、同コイルスプリング２５の作用により上記弁機構２４の弁体を閉じる。他方、逆に第１貯水部１８上に装着されると、上記開弁作動部材２３により上記弁機構２４が上記コイルスプリング２５に拡して開弁されて、第１貯水部１８内に水タンク２から水Ｗが供給される。
【００３２】
ところで、この実施の形態の場合、上記図４に示す吸水フィルタ１１のフィルタ生地１１ａ中には所定の濃度の抗菌・抗ウイルス剤が含浸されている。
【００３３】
この抗菌・抗ウイルス剤には、例えばフリーラジカルによる強力な酸化作用を有し、細菌、真菌、ウイルス等の主要タンパク質を酸化修飾するとともに硫化水素などの悪臭物質をも酸化修飾する二酸化塩素系の薬剤で、水により希釈しても長期間一定の安定した濃度を維持することができるようになったものが採用されている。
【００３４】
一般に二酸化塩素（ＣｌＯ2）は、亜塩素酸塩（ＮａＣｌＯ2）に酸を混合させて発生させるが、該二酸化塩素ガスは非常に水に溶けやすい反面、水に溶けている二酸化塩素ガス濃度は不安定で、安定した濃度を維持することができない難点がある。
【００３５】
したがって、これまでの一般的な二酸化塩素液剤は、濃度管理が不可能で、人体に影響する環境の下では抗菌・抗ウイルス剤として使用することができなかった。
【００３６】
しかし、この実施の形態の抗菌・抗ウイルス剤では、二酸化塩素溶存ガス、亜塩素酸塩、ＰＨ調整剤を所定の条件で同時に用いることにより、二酸化塩素濃度を長期に亘って一定に維持できるようにした二酸化塩素系の薬剤を用いている（例えば特許第３１１０７２４号に示されるものなど）。
【００３７】
したがって、濃度管理が可能で、人体に影響する環境下でも安心して使用することができるようになっている。
【００３８】
このような構成によると、上述のような抗菌・抗ウイルス剤を含んだ吸水フィルタ１１部分に、上記第１貯水部１８部分からの水が吸水されて次第に上端側まで上昇してくる。すると、該上昇してくる水Ｗの中に順次上記水Ｗに溶けやすい二酸化塩素系の抗菌・抗ウイルス剤がスムーズに溶け込んでゆく。そして、続いて該抗菌・抗ウイルス剤が溶け込んだ水Ｗを含んだ吸水フィルタ１１部分に上記ヒータユニット１６を介して予熱された室内空気が供給されると、水Ｗの蒸発と同時に所定の濃度の二酸化塩素ガスが発生し、送風ファン３により加湿空気吹出グリル９から室内に吹き出される。
【００３９】
そして、それによって室内のウイルス、細菌、真菌等のタンパク質が酸化修飾されて除菌されるとともに、硫化水素等の悪臭成分が酸化修飾されて消臭浄化される。
【００４０】
以上の構成によると、送風ファン３により室内の空気を吸込み、加湿手段４により所定の湿度に加湿処理した上で室内に吹き出す空気送風系を備えてなる空気調和装置において、濃度コントロールの可能な二酸化塩素系の抗菌・抗ウイルス剤を含浸させた抗菌・抗ウイルス剤付加手段としての吸水フィルタ１１を設け、該抗菌・抗ウイルス剤を含浸させた吸水フィルタ１１を介して室内へ吹き出す空気に対して所定の濃度の抗菌・抗ウイルス剤を混合するようにし、同抗菌・抗ウイルス剤を混合した空気によって室内を抗菌・抗ウイルス環境に形成するようにしたことを特徴としている。
【００４１】
このような構成によると、当該空気調和装置の送風系路に設けられた吸水フィルタ１１から水とともに気化する二酸化塩素系の抗菌・抗ウイルス剤によって、室内に吹き出される加湿空気が鳥インフルエンザなどの新型ウイルスに対する制菌作用を有するものとなり、これによって室内空気環境の快適化とともに、抗ウイルス性の高い清浄化を図ることができる。
【００４２】
しかも、抗菌・抗ウイルス剤付加手段としての吸水フィルタ１１によって空気中に混合される抗菌・抗ウイルス剤は、予じめ所定の濃度に濃度コントロールされ、人体にとって安全な濃度範囲、臭いの低い濃度レベルで使用されるようになっているから、極めて安全であり、また快適性を阻害しない。
【００４３】
また、同構成において、上記抗菌・抗ウイルス剤付加手段としての吸水フィルタ１１は、空気吸込部から加湿空気吹出グリル９に至る送風系路上において、少なくとも電気回路基板１５やファンモータ６とは、気密性のある合成樹脂製のシール壁を介して確実に隔離されている。
【００４４】
このような構成によると、電気回路基板１５やファンモータ６等電装品部分を酸化作用の強い二酸化塩素系の薬剤が通過することを確実に避けることができ、電装品部分の錆びの発生、劣化を回避することができる。
【００４５】
また、以上の構成では、加湿部が、吸水型のフィルタ１１と該吸水型のフィルタ１１を加熱して水を蒸発させるヒータユニット１６とからなり、抗菌・抗ウイルス剤付加手段が、抗菌・抗ウイルス剤を含浸させた吸水フィルタ１１により構成されている。
【００４６】
このような構成によると、水を吸上げて送風系路を流れる空気中に水分を付加する吸水フィルタ１１のフィルタ素材１１ａ中の抗菌・抗ウイルス剤が、同水分の付加と同時に一緒に付加され、加熱蒸発されて抗菌・抗ウイルス性のある加湿空気となって室内に吹き出され、室内を抗菌・抗ウイルス性の環境に形成する。
【００４７】
そして、その時の抗菌・抗ウイルス剤の放出量は、ヒータユニット１６の発熱量を電気的に制御することにより調節されるようになっている。
【００４８】
このような構成によると、所定の空気吹出量の下において、吸水フィルタ１１中の水分を加熱蒸発させるヒータユニット１６の発熱量（加熱量）をマイコンを利用して可変調節することにより、空気量との関係において適切な抗菌・抗ウイルス剤濃度の加湿空気を吹き出させることができ、有効なウイルス抑制効果を得られる範囲で、しかも人体に対して安全な濃度に確実に調節することができる。
【００４９】
以上の結果、同構成によると、従来のようなマイナスイオンによる場合と異なり、確実に室内空気の制菌効果を実現することができるようになり、鳥インフルエンザなどの新型ウイルス対策として有効なものとなる。
【００５０】
しかも、同構成においては、抗菌・抗ウイルス剤付加ユニット５０は、空気吸込口から空気吹出口に至る送風系路上において、送風ファンや電気回路基板等の設置部よりも空気流下流側である空気吹出口付近に位置して設けられている。
【００５１】
したがって、ファンモータや電気回路基板等電装品部分を酸化作用の強い二酸化塩素系の薬剤が通過することを避けることができ、電装品の錆びの発生、劣化を回避することができる。
【００５２】
（変形例）
以上の場合において、さらに水タンク２内の水（Ｈ2Ｏ）中に上述した二酸化塩素系の抗菌・抗ウイルス剤を予じめ所定の濃度で混合溶解させて置くことも可能である。
【００５３】
このような構成によると、あらかじめ抗菌・抗ウイルス剤を含んだ水タンク２内の水Ｗが、上記第１貯水部１８から吸水フィルタ１１の下部に供給され、吸水フィルタ１１によって吸水されて上昇する。そして、同状態で該抗菌・抗ウイルス剤が溶け込んだ水Ｗを含んだ吸水フィルタ１１部分に上記ヒータユニット１６を介して予熱された室内空気が供給されると、水Ｗの蒸発と同時に所定の濃度の二酸化塩素ガスが発生し、送風ファン３により加湿空気吹出グリル９から室内に吹き出される。
【００５４】
そして、これによって室内のウイルス、細菌、真菌等の除菌、悪臭等の浄化が図られる。同構成の場合、吸水フィルタ１１の生地１１ａに含浸させてある抗菌・抗ウイルス剤を吸水と同時に溶け込ませる場合に比べて、より溶解が確実であり、濃度のコントロールも正確になる。したがって、抗菌・抗ウイルス剤の付加性能を一層有効に向上させることが可能となる。
【００５５】
しかも、この場合にも、抗菌・抗ウイルス剤が送風空気中に気化混入されるのは、あくまでも吸水フィルタ１１部分であるから、同吸水フィルタ１１部分以降（下流側）の送風通路の酸化防止対策（通路金属部の樹脂コーティング、電気回路基板１５やファンモータ６部分の樹脂シール）を施しておけば足りる。
【００５６】
（最良の実施の形態２）
次に図５および図６は、加湿ロータ型の加湿器として構成した本願発明の最良の実施の形態２に係る空気調和装置の構成を示している。
【００５７】
この実施の形態の加湿器４０は、例えば図５および図６に示すように、本体ケース４０ａと、該本体ケース４０ａ内に収納された送付ファン４４と、水受けトレー４９と、該水受けトレー４９内の第１の貯水部４９ａ上に設けられ、同第１の貯水部４９ａに水を供給する水供給手段である水タンク４８と、同水受けトレー４９の第２の貯水部４９ｂ部分に、下部を浸漬する形で回転可能に設けられた回転加湿フィルタ４５と、上記送付ファン４４から回転加湿フィルタ４５への送風系路の途中にあって当該送風系路を流れる空気を所定の温度に加熱するヒータユニット５１と、上記回転加湿フィルタ４５を経て加湿された空気を分割して流す第１，第２の２つの分流通路ａ，ｂの内の小径側第２の分流通路ｂに設けられた抗菌・抗ウイルス剤付加ユニット５０とから構成されている。
【００５８】
上記送付ファン４４は、例えばシロッコファン（側方吸込み遠心方向吹出タイプの多翼ファン）よりなり、本体ケース４０ａの側部に設けられた空気吸込口４１から室内の空気Ａ1を吸込み、上記ヒータユニット５１を介して所定の温度に加熱した後に上記回転加湿フィルタ４５に供給する。
【００５９】
回転加湿フィルタ４５は、例えば図６に示すように、複数枚のフィルタプレート４５ａ，４５ａ・・・、両端側２枚のカバープレート４５ｂ、４５ｂ、フィルタ回転軸３６及びフィルタギヤ４５ｄからなっている。
【００６０】
フィルタプレート４５ａ，４５ａ・・・は、例えば合成樹脂製（ＡＢＳ）の円板状部材であり、その両側プレート面には全面に亘って水の付着性を高めるための所定の表面処理又は表面加工が施されている。
【００６１】
カバープレート４５ｂ、４５ｂは、フィルタプレート４５ａ，４５ａ・・・と同形で少し小径の合成樹脂製の円板状部材であり、それぞれスペーサとしての円形の凸部を介してフィルタプレート４５ａ，４５ａ・・・を軸方向に多数枚並設した回転加湿フィルタ４５の両端部に配置されている。
【００６２】
そして、同回転加湿フィルタ４５両側の水受けトレー４９側の隔壁３５，３５には、Ｕ字状溝の軸受部がそれぞれ形成されており、それら各軸受部に回転加湿フィルタ４５の回転軸３６が回動自在に軸支されている。
【００６３】
上述のような構成の加湿器において、その加湿能力を向上させるためには、上述した回転加湿フィルタ４５のフィルタプレート４５ａ，４５ａ・・・各々の水の汲み上げ能力を高くすることが必要である。そのような要請に応える構成として、フィルタプレート４５ａ，４５ａ・・・のプレート面に親水処理を施せば一応水の付着性を高めることができる。
【００６４】
しかし、加湿器の場合、季節や環境に応じて必要とされる加湿量（調整範囲）には相当な幅があり、一定レベル以上の大きな加湿能力が要求されるような場合には、それだけでは足りない。
【００６５】
そこで、この実施の形態では、上記親水処理に加えて、さらに水の毛細管作用および表面張力を利用して一段と厚さの厚い水膜をプレート面の全体に広く、かつ速やかに形成することができるように、図示はしないが、フィルタプレート４５ａ，４５ａ・・・のプレート面全体にハニカム形状の凹条の溝（また凸状のリブ）を形成している。
【００６６】
すなわち、この実施の形態では、凹条の溝（また凸状のリブ）をハニカム形状に屈曲させ、それをフィルタプレート４５ａ，４５ａ・・・の周端面と回転軸挿通孔４５ｃおよびスペーサ凸部部分を除く全面に連続させて展開する。そして、それにより同凹条の溝部分の毛細管作用（または凸状のリブにより水との壁面の接触角を小さくし、表面張力を大きくする作用）を利用して水を速やかに侵入展張させることによって、それら凹条の溝（または凸状のリブ）間の六角形状のハニカム面部分に可能な限り厚い水膜を形成するとともに、その広がり力、係留力を大きくするようにしてポンピング力を大きくしている。
【００６７】
一方、上記水受けトレー４９は、本体ケース４０ａの左側に位置して左右に対向する垂直な隔壁の間に形成されるフィルタ収納部を兼ねた第２の貯水部４９ｂと、その外側（左側）に水平に一体成形された第１の貯水部４９ａとからなっている。
【００６８】
第１の貯水部４９ａには、水タンク４８側の給水口部４８ａが嵌合される給水口嵌合壁４６ｂ、該給水口嵌合壁４６ｂの中央部に設けられた水タンク４８の給水口部４８ａ内に内設する弁を開放するための軸状の突部４６ａ、上記給水口嵌合壁４６ｂの水流出口部から水が供給される貯水溝、該貯水溝の背面側に設けられた安全装置としてのフロートスイッチ、貯水溝と上記第２の貯水部４９ｂとを連通する連絡口（上下方向の隙間部参照）等が設けられている。
【００６９】
水タンク４８の給水口部４８ａが給水口嵌合壁４６ｂに載置されると、上記軸状の突部４６ａにより弁の弁体部分を開放し、所定量の水が給水口嵌合壁４６ｂの開口部を介して第１の貯水部４９ａの貯水溝内に流出する。この貯水溝に流出した水の一部は、ガイド壁でガイドされながら上記連絡口を介して第２の貯水部４９ｂ内に流入し、貯水溝の水の高さと同じ高さまで水を貯留する。
【００７０】
そして、上述のように、回転加湿フィルタ４５は、円板状のフィルタプレート４５ａ，４５ａ・・・を多数枚並設することによって構成されているとともに、該回転加湿フィルタ４５の下部を第２の貯水部４９ｂに浸漬した状態で回転駆動され、同回転駆動状態において上記送付ファン４４およびヒータ部５１により温風を供給することにより、フィルタプレート４５ａ，４５ａ・・・の表面に付着した水を蒸発させることによって加湿空気を形成するようになっている。
【００７１】
そして、同加湿された空気は、送付ファン４４の上方に形成された第１，第２の分流通路ａ，ｂを介して第１，第２の空気吹出口４２ａ，４２ｂから室内に吹き出される。
【００７２】
ところで、第２の貯水部４９ｂの回転加湿フィルタ４５から第１，第２の空気吹出口４２ａ，４２ｂの間は、中間仕切壁を介して上述のように２本の分流通路ａ，ｂに形成されており、小径側第２の分流通路ｂ側には、二酸化塩素系の抗菌・抗ウイルス剤付加ユニット５０が設けられており、同第２の分流通路ｂから流れ出て行く加湿空気Ａ3には所定の濃度の抗菌・抗ウイルス剤が気化混合され、第１の分流通路ａ側の通常の加湿空気Ａ2とともに室内に吹き出される。
【００７３】
そして、それによって室内に吹き出される加湿空気がトータルとして鳥インフルエンザなどの新型ウイルスに対する制菌作用を有するものとなり（Ａ2＋Ａ3）、抗ウイルス性の高い加湿清浄化を図ることができる。
【００７４】
上記第２の分流路ｂに設けられている抗菌・抗ウイルス剤付加ユニット５０は、例えば上記実施の形態１のものと同様の長期間安定した一定の濃度に維持することができる二酸化塩素系の抗菌・抗ウイルス剤を必要量吸着保持させたポーラス材（又はそれと同様の通風可能な粒状物の混合体）により構成されており、同抗菌・抗ウイルス剤が通風時に加湿空気Ａ2中の水蒸気に速やかに溶け込んで抗菌・抗ウイルス性の加湿空気Ａ3となり、通常の加湿空気Ａ2とともに室内に吹き出されるようにしている。そして、該抗菌・抗ウイルス剤付加ユニット５０は、所定時間使用されると、交換される。
【００７５】
（変形例１）
また、上記抗菌・抗ウイルス剤付加ユニット５０は、例えば上記抗菌・抗ウイルス剤を所定の濃度に希釈して貯留する溶液タンクと、該溶液タンク内の二酸化塩素薬剤液を吸い出して、上記第２の分流通路ｂにおける空気の流通負圧を利用して霧吹き状に加湿空気Ａ2中に吹き出す霧吹き装置とから構成することもできる。
【００７６】
このような構成にすると、より加湿空気に対する二酸化塩素の付加性能が向上する。
【００７７】
（変形例２）
さらに、また上記抗菌・抗ウイルス剤付加ユニット５０は、上記変形例１の構成の溶液タンク内の二酸化塩素溶液を注出ポンプにより注出してノズル部から霧吹き状に吹き出させるようにしてもよい。
【００７８】
その場合、電動式の注出ポンプを使用してもよいが、例えば図７に示すように、第２の分流通路ｂの側壁部に半円状の凹部を形成し、そこに吹出空気流によって回転する風車５６を軸装し、同風車５６の回転による駆動力を利用して注出ポンプ５２を駆動し、溶液タンク５１内の二酸化塩素溶液を注出してノズル部５３から吹き出させるようにしてもよい。
【００７９】
このようにすると、上述した送風ファン４４の風量が増大すると、それに比例して加湿空気Ａ3中の二酸化塩素濃度も上がり、溶液濃度さえ管理しておけば、特別な濃度制御が不要となる。
【００８０】
図７中、５２ａは風車５６の回転軸と注出ポンプ５２の駆動軸とを連結する連結軸、５４は溶液注出パイプ、５５は溶液吐出パイプである。
【００８１】
（最良の実施の形態３）
次に図８は、吸着型の除湿器に適用した本願発明の最良の実施の形態３に係る空気調和装置の構成を示している。
【００８２】
この実施の形態の除湿器６０は、空気吸込口６１および空気吹出口６２を有する本体ケース６０ａと、該本体ケース６０ａ内の送風系路途中に下半分部分を介装させた状態で、回転可能に設けられた吸湿ロータ６３と、同送風系路途中に設けられた送風ファン６６と、同送風系路の送風ファン６６よりも下流側に設けられた抗菌・抗ウイルス剤付加ユニット６８と、上記吸湿ロータ６３を半回転させた上方位置で吸着された水分を加熱蒸発させて脱水するヒータユニット６４と、上記吸湿ロータ６３から脱着された水を水回収通路６５を介して回収貯留する水タンク６７とから構成されている。抗菌・抗ウイルス剤付加ユニット６８は、上記実施の形態２のものと同様のものが採用されている（変形例１，２のものを含めて）。
【００８３】
吸湿ロータ６３は、ハニカム構造のゼオライト等水分の吸脱着が可能な多孔質の吸質部材からなっており、上記送風系路中に介装された下半分側部分で空気吸込口６１から吸込んだ空気Ａ1中の水分を吸着し、乾燥させた上で、除湿空気Ａ2として送風ファン６６に供給する。そして、送風ファン６６により、上記抗菌・抗ウイルス剤付加ユニット６８を介して抗菌・抗ウイルス剤を所定の濃度に混合し、抗菌・抗ウイルス機能を有するドライエアＡ3として室内に吹き出す。
【００８４】
一方、同吸湿ロータ６３の上半分側部分は、ヒータユニット６４に対応した脱水部となっており、ヒータユニット６４によって加熱されることにより、下方側送風系路中にある時に吸着された水分を放出し、上記水回収通路６５を介して水タンク６７内に回収する。
【００８５】
このような構成によると、室内空気の最適な除湿が可能となると同時に、部屋の中の菌、真菌、ウイルス等を滅菌、抑制することができる。
【００８６】
特に、細菌問題になっている鳥インフルエンザウイルス等の各種ウイルス対策として有効である。
【００８７】
（変形例）
以上の除湿ロータ６３は、水分の吸脱着が容易なゼオライト等の多孔質部材よりなっている。
【００８８】
したがって、例えば図９に示すように、その水分吸着部側と水分放出部側との各々に白抜き矢印で示すような方向の送風系路を対応させ、それらの送風路の何れか一方に切り換えて室内に吹き出させるようにすると、除湿と加湿両方の機能をもった空気調和装置として構成することができ、同装置において送風ファン６６および空気吹出通路を共通にすると、何れの場合にも上述のような抗菌・抗ウイルス機能を付加することができる。
【００８９】
なお、図中符号４３ｂは、上記除加湿ロータ４３の回転支軸であり、該回転支軸４３ｂは駆動モータ４８のロータ軸４８ａに連結され、回転可能となっている。
【００９０】
＜その他の実施の形態＞
（１）  本願発明は、以上のような加湿器、除湿器、除加湿器のほか、空気清浄機や熱交換器を備えた冷暖房装置等の各種空気調和、空気調整装置にも全く同様に適用することができる。
【００９１】
（２）  またスチーム式の加湿器に適用した場合、アロマオイルを入れる皿に、上述した二酸化塩素系の抗菌・抗ウイルス剤を入れると、上述の場合と同様の効果を得ることができる。
【００９２】
（３）  さらに、以上各実施の形態の構成において、例えば運転休止中における機内ガス充満による錆びの発生を抑えるために、運転休止中（運転停止後）であっても、ファンを少し（一瞬）回転させて、定期的に二酸化塩素ガスを外部へ出し、本体内に溜めないようにすることが好ましい。
【図面の簡単な説明】
【００９３】
【図１】吸水フィルタ型の加湿機として構成した本願発明の最良の実施の形態１に係る空気調和装置の構成を示す縦断面図である。
【図２】同装置の一部切欠平面図である。
【図３】同装置の水平断面図である。
【図４】同装置における吸水フィルタ部分の斜視図である。
【図５】回転加湿フィルタ型の加湿器として構成された本願発明の最良の実施の形態２に係る空気調和装置の構成を示す縦断面図である。
【図６】同装置における回転加湿フィルタ部分の構成を示す斜視図である。
【図７】同装置における抗菌・抗ウイルス剤付加ユニットの構成の一例を示す一部切欠斜視図である。
【図８】吸着型の除湿器として構成された本願発明の最良の実施の形態３に係る空気調和装置の構成を示す縦断面図である。
【図９】同装置を除加湿機として変形した時の除加湿ロータ部の構成と作用を示す斜視図である。
【符号の説明】
【００９４】
１は加湿器本体、２は水タンク、３は送風ファン、１１は吸水フィルタ、１１ａは生地、１５は電気回路基板、４４は送風ファン、４５は回転加湿フィルタ、５０は抗菌・抗ウイルス剤付加ユニット、６３は吸湿ロータ、６６は送風ファン、６８は抗菌・抗ウイルス剤付加ユニットである。
【図１】
2010002155.tif 000003
【図２】
2010002155.tif 000004
【図３】
2010002155.tif 000005
【図４】
2010002155.tif 000006
【図５】
2010002155.tif 000007
【図６】
2010002155.tif 000008
【図７】
2010002155.tif 000009
【図８】
2010002155.tif 000010
【図９】
2010002155.tif 000011